(57)【要約】      （修正有）【課題】湾曲に配置された琴の絃の振動をより確実にかつ均質に検出し電気信号に変換する電子琴を提供する。【解決手段】電子琴は、複数の絃に当接し、絃を支持する湾曲した枕角１０５と、枕角を嵌合する溝部３０１を有し、甲に固定される角１０４と、溝部内に溝部の長手方向に沿って設けられた棒状または紐状の圧電素子５０１ａ〜５０１ｄと、溝部の底部と圧電素子との間に設けられ、枕角が溝部に嵌合された際に枕角と圧電素子とが密着するように圧電素子を枕角側へ押しつけるスタビライザー４０２と、を備える。【選択図】図５
0003231178.tif 000002
【実用新案登録請求の範囲】
【請求項１】
複数の絃に当接し、当該絃を支持する湾曲した枕角と、
前記枕角を嵌合する溝部を有し、甲に固定される角と、
前記溝部内に当該溝部の長手方向に沿って設けられた棒状または紐状の圧電素子と、
前記溝部の底部と前記圧電素子との間に設けられ、前記枕角が前記溝部に嵌合された際に当該枕角と当該圧電素子とが密着するように当該圧電素子を当該枕角側へ押しつけるスタビライザーと、
を備えたことを特徴とする電子琴。
【請求項２】
前記スタビライザーは、弾性部材によって構成されることを特徴とする請求項１に記載の電子琴。
【請求項３】
前記枕角の前記圧電素子と接する部分に金属箔を設けたことを特徴とする請求項１または２に記載の電子琴。
【考案の詳細な説明】
【技術分野】
【０００１】
この考案は、絃の振動を電気信号に変換して出力する電子琴に関する。
【背景技術】
【０００２】
従来、伝統的な手法により制作される琴は、日本古来の和楽器であり、元来、室内あるいは室外であっても少人数による演奏会において、生演奏、すなわち甲の反響により音を増幅させることで音色を奏でるのが一般的であった。また、大規模なホールなどでおこなわれる場合には、マイクなどを用いて集音し、集音した音を増幅して出力するのが一般的であった。
【０００３】
近年、琴を用いた演奏会などにおいて、多くの観衆の前で、他の楽器とコラボレーションすることが盛んにおこなわれ、特に、電子楽器やドラムスなど大音量による演奏が可能な楽器と一緒に演奏をおこなう機会が増えてきている。そのような演奏会において、マイクによって集音する方法では、近くで演奏する他の大音量を出力する楽器の音を同時に拾ってしまい、琴の音が目立たなくなってしまう（他の楽器に負けてしまう）。一方、琴の音を目立たせるためにマイクの出力を上げると、今度はハウリングを起こしてしまい、演奏に支障を来すという問題点がある。したがって、演奏会における琴を用いた演出の幅が広がらないという演奏者からの意見が多数あった。
【０００４】
また、琴の音色をエフェクターなどを用いて自由に変換して、新しい琴演奏の演出表現を試みる演奏者も増えている。
【０００５】
このように、琴の電子化の要請が強まっているのが現状である。また、伝統的な琴の製造等を生業とする考案者にとっても、伝統的な琴の音色を大切にするだけでなく、琴を電子化し、大音量の出力を可能としたり、多様な音の演出表現ができる琴（エレキ琴）を製造することは長年の課題であった。
【０００６】
関連する技術として、具体的には、竜角の下面凹部あるいは筝板の内面にセンサあるいはマイクロフォン等のトランスデューサを配置してその振動をピックアップし、琴胴内に配置した円筒状の、アウトプットジャックとプリアンプとの複合体で増幅し外部へ出力する。外部のトーンコントロール、パワーアンプの利用により大出力が得られ、電気楽器との協演も可能となり、その活動範囲を拡大することができる。また、琴胴の内部にプリアンプを設けたので、Ｓ／Ｎ比のよい信号を得ることができる。それによって、琴の演奏音を、音質、音色を損なうことなく、電気信号に変換して演奏活動の範囲を拡げることができるという技術がある（たとえば、下記特許文献１を参照。）。
【０００７】
また、別の関連する技術として、具体的には、演奏音を高感度に検出して電気信号として出力できる琴を提供するために、琴弦（絹、ナイロン、ポリエステル等が使われている）の一端（龍角部）に、ピアノ線を７ｍｍ〜１０ｍｍの幅に螺旋状に巻きつけ、同様に龍角部に取り付けられたマグネティックピックアップの上に重ねて配設した琴の龍額に、ピアノ線の端部を係止させる係止部（ネジ部を兼ねる）を設け、この係止部のネジに嵌め合うナットによりピアノ線の位置調節が簡単にできるようにした技術があった。この技術においては、ピアノ線の位置を調節する糸巻きを、ピアノ線ごとにそれぞれ配設し、龍額と龍尾のいずれの側からもピアノ線の位置調節が簡単にできるように構成している（たとえば、下記特許文献２を参照。）。
【０００８】
さらに、別の関連する技術として、具体的には、弦楽器用のピックアップを備えたブリッジ、ブリッジを備えた弦楽器に関し、たとえば、ブリッジは、サドルを受入れるスロットを有する木製トップ構成部分を主体とするアーチドトップ型の上側部分と、機械加工、または鋳造された下側金属部分とを含み、上側部分は、下側金属部分に取り付けられる。そして、上側部分のスロットは、下側金属部分の上部平坦面を露出させるために木製トップ構成部分を完全に通過し、一塊または分割されたサドルと、サドルの下に、サドルにかかる下向きの弦の圧力によって下側金属部分に対して均一に押されるように設置されるピエゾ素子とを含み、サドルをピエゾ素子に押し付け、次に下側金属部分に押し付け、サドルと下側金属部分の間にピエゾ素子を挟み込んだ状態とする技術がある（たとえば、下記特許文献３を参照。）。
【先行技術文献】
【特許文献】
【０００９】
【特許文献１】特開平８−２２２８３号公報
【特許文献２】実用新案登録第３１４６３２３号
【特許文献３】特開２０１８−１６３３３２号公報
【考案の概要】
【考案が解決しようとする課題】
【００１０】
しかしながら、琴を電子化するに当たり、他の電子化された楽器、たとえばギターなどの弦楽器と比較して、琴特有の問題点があった。すなわち、ギターなどは、複数の弦が直線上に配置されるのに対して、琴においては、甲の湾曲（アーチ）形状に合わせて絃が曲線状に配置されるよう、絃を直接支持する枕角も湾曲形状となっている。したがって、すべての絃の音を検出するために、湾曲形状の枕角の振動をギターなどに用いられている棒状または紐状の圧電（ピエゾ）素子を用いて検出しようとすると、その湾曲形状であるがゆえに、圧電（ピエゾ）素子を枕角に完全に密着させることができず、振動が検出できなかったり、検出できたとしてもその検出結果にムラが生じ、圧電（ピエゾ）素子において確実かつ均質な振動の検出が難しいという問題点があった。
【００１１】
枕角の湾曲形状に合わせたピエゾ素子を作成することも考えられるが、枕角の湾曲状態は、甲の形状によって決まる。甲の種類は多数あり、また、絃の本数によっても様々な甲のサイズや種類があるため、枕角ごとにピエゾ素子をオーダーメイドにより作成したのでは、素子自体が非常に高価なものになってしまい、廉価な材料で琴を電子化することができないという問題点があった。
【００１２】
また、たとえば、上記特許文献１にかかる発明おいては、竜角の下面凹部あるいは筝板の内面にトランスデューサを配置したのでは、振動の発生源である絃からの距離が遠く、絃の振動を正確にかつ確実に取得できないため、電気信号として取り出す際の色が良くなく、かつ、音量が小さいなどの問題点があった。上記特許文献２にかかる考案や、上記特許文献３にかかる発明も、その方式や構成が異なり、やはり電気信号として取り出す際の色が良くなく、あるいは、音量が小さいなどの問題点があった。
【００１３】
この考案は、上述した従来技術による問題点を解消するため、他の楽器でも用いられている既存の材料を用いて、湾曲形状の枕角によって支持される各絃の振動をより確実にかつより強い（高感度の）電気信号に変換して出力できる電子琴を提供することを目的とする。
【課題を解決するための手段】
【００１４】
上述した課題を解決し、目的を達成するため、この考案にかかる電子琴は、複数の絃に当接し、当該絃を支持する湾曲した枕角と、前記枕角を嵌合する溝部を有し、甲に固定される角と、前記溝部内に当該溝部の長手方向に沿って設けられた棒状または紐状の圧電素子と、前記溝部の底部と前記圧電素子との間に設けられ、前記枕角が前記溝部に嵌合された際に当該枕角と当該圧電素子とが密着するように当該圧電素子を当該枕角側へ押しつけるスタビライザーと、を備えたことを特徴とする。
【００１５】
また、この考案にかかる電子琴は、上記考案において、前記スタビライザーが、弾性部材によって構成されることを特徴とする。
【００１６】
また、この考案にかかる電子琴は、上記考案において、前記枕角の前記圧電素子と接する部分に金属箔を設けたことを特徴とする。
【考案の効果】
【００１７】
この考案にかかる電子琴によれば、絃の振動をより直接的に電気信号に変換することができる。
【図面の簡単な説明】
【００１８】
【図１】この考案にかかる実施の形態の電子琴の外観の一部を示す説明図である。
【図２】角および芯座付近の拡大図の一例を示す説明図である。
【図３】角および枕角の構造の一例を示す説明図である。
【図４Ａ】この考案にかかる実施の形態の電子琴の角の構造の一例を示す説明図（上面図）である。
【図４Ｂ】この考案にかかる実施の形態の電子琴の角の構造の一例を示す説明図（上面図）である。
【図５】この考案にかかる実施の形態の電子琴の角および枕角の構造の一例を示す説明図（上面図および側面（断面）図）である。
【図６】この考案にかかる実施の形態の電子琴の角および枕角の構造の一例を示す説明図（側面（断面）図）である。
【考案を実施するための形態】
【００１９】
以下に添付図面を参照して、この考案にかかる電子琴の好適な実施の形態を詳細に説明する。
【００２０】
図１は、この考案にかかる実施の形態の電子琴の外観の一部を示す説明図である。図１においては、電子琴１００の外観の一部のみを図示する。図１において、電子琴１００は、一般的な和楽器である琴と同じ外観であり、その基本的な構造も同じである。なお、図１〜図６において、同じ構成部には同じ符号を付している。
【００２１】
具体的には、図１に示す電子琴１００において、符号１０１は甲（こう）であり、符号１０２は絃（げん、あるいは琴糸（こといと））であり、符号１０３は琴柱（ことじ）であり、符号１０４は角（かく）であり、符号１０５は枕角（まくらづの）であり、符号１０６は芯座（しんざ）である。また、符号１０７はシールドであり、符号１０８はプラグであり、符号１０９はアウトプットジャックである。
【００２２】
甲１０１は、一般的な琴と同様に、桐などの木材を切り出して作成した胴体部分である。弾かれた絃１０２の振動を増幅し、反響させて音を出力する。
【００２３】
絃１０２は、甲１０１の長手方向に複数本張られる（締められる）。図１における電子琴１００においては、１３本の絃（琴糸）が張られている。琴の種類によっては、絃は１３本（絃）には限らず、１７本（絃）、２０本（絃）、２５本（絃）などであってもよい。絃１０２の材質は、たとえばテトロン糸や絹糸などが用いられる。
【００２４】
また、琴柱１０３は、張られた絃１０２と甲１０１との間に挟んで、挟む位置によって絃１０２の音階および音程の調整をおこなう。
【００２５】
角１０４は、甲１０１に対して取り付けられる。角１０４には、枕角１０５を嵌合するための溝部（後述する図３に示す溝部３０１）が設けられる。角１０４の材質は、木材などが用いられる。角１０４は、枕角１０５を固定するとともに、絃１０２から枕角１０５に伝わる振動を甲１０１へ伝える役割を果たす。
【００２６】
また、枕角１０５は、角１０４の溝部に設けられ、この溝部に嵌合される（入れられる）。枕角１０５の高さは、角１０４の溝部の深さよりも高いため、枕角１０５の上面はその分、角１０４よりも高くなり、当該上面に絃１０２が当接し、それにより絃１０２を支持することができる。枕角１０５の材質は、プラスチック、象牙などが用いられる。
【００２７】
また、芯座１０６は、絃１０２を通す孔部であって、甲１０１の裏側の音穴側まで貫通している。芯座１０６は、絃１０２と同数だけ設けられている。絃１０２は、１本ずつ、各芯座１０６を通って、甲１０１の裏側へ通されて、裏側で固定される。
【００２８】
以下は、電子琴１００に特有の構成である。シールド１０７は、電気信号を伝達するケーブルである。図示を省略するが、シールド１０７の他端は、電子楽器のアンプなどに接続される。また、プラグ１０８は、シールド１０７の端部に設けられ、アウトプットジャック１０９に挿入することによって、電子琴１００に接続することができる。また、アウトプットジャック１０９は、プラグ１０８の挿入を受け付ける。
【００２９】
図１においては、アウトプットジャック１０９は、外側、すなわち、甲１０１の側面（磯）部に設けたが、ここに設けることに限定されるものではない。アウトプットジャック１０９は、たとえば、甲１０１の裏側の音穴の内部に設けるようにしてもよい。このようにすることによって、アウトプットジャック１０９を外側から見えないようにして、その存在を隠すことができる。そして、和楽器である琴に電子備品を設けることによる演奏者の抵抗感を低減させることができる。
【００３０】
演奏者は、琴柱１０３と、枕角１０５の間において、絃１０２を指（爪）で弾くことにより、枕角１０５とその枕角１０５を支える角１０４が絃の振動を直接甲１０１に伝え、甲１０１においてその振動を増幅・反響させることによって、琴の音色が出力されることになる。
【００３１】
また、それと同時に、枕角１０５の振動を検出する圧電（ピエゾ）素子（後述する図５の５０１ａ〜５０１ｄ）によりその振動を電気信号に変換し、アウトプットジャック１０９に挿入されたプラグ１０８からシールド１０７によって電子楽器用のアンプに接続され、そこで電気信号を音響に変換して、琴の音色を出力することができる。
【００３２】
図２は、角および芯座付近の拡大図の一例を示す説明図である。図２は、電子琴１００を上側から見た上面図を示している。図２において、枕角１０５が角１０４の上面に、角１０４の長手方向に沿って、当該上面の中央部付近に所定の幅（枕角１０５を嵌合できる幅）をもって形成された溝部に設けられている。そして、甲１０１の裏側から、それぞれ各芯座１０６を通って張られた各絃１０２が、枕角１０５に当接している様子がわかる。このように、電子琴１００は、角１０４および芯座１０６周辺の外見は、一般的な琴と、その構成に違いはない。
【００３３】
図３は、角および枕角の構造の一例を示す説明図である。図３は、角１０４および枕角１０５を、側面から見た状態を示す側面図である。すなわち、図３は、図２における矢印Ａの方向から見た状態を示している。また、図３における角１０４は、甲１０１から取り外した状態を示している。
【００３４】
なお、図３では、図４Ａ以降で説明する、角１０４に設けられる貫通孔４０１ａ〜４０１ｄの記載は省略している。したがって、図３に示す角１０４および枕角１０５は、一般的な角および枕角と同じ構造である。
【００３５】
図３において、枕角１０５は、甲１０１の長手方向に直交する方向（すなわち図３の左右方向）における曲面（アーチ形状）に沿って絃１０２を支持するため、甲１０１の曲面に合わせて湾曲している（弧を描いている）。同様に、角１０４も、甲１０１に取り付けて、枕角１０５を固定するため、甲１０１の曲面に合わせて湾曲している。角１０４において、枕角１０５を取り付けるための溝部３０１も、同様の曲率で湾曲している。
【００３６】
一般的に、枕角１０５を角１０４に取り付けるために、枕角１０５の形状に合わせて、溝部３０１を形成する。そして、枕角１０５を溝部３０１に嵌合、すなわち、はめ込んで、枕角１０５を角１０４に固定する。図３では、枕角１０５を角１０４の溝部３０１に嵌合した（すなわち、枕角１０５を角１０４に入れた）状態を示している。
【００３７】
琴の制作工程としては、まず、溝部３０１を形成した角１０４を甲１０１に固定し、その後、溝部３０１に枕角１０５を嵌合する。そして、各絃１０２を、枕角１０５に当接させて支持するように張る（絃（琴糸）１０２を締める）。
【００３８】
このようにすることによって、複数本の絃１０２を張った際、絃１０２がそれぞれ枕角１０５に当接する。そして、各絃１０２を甲１０１の長手方向に直交する方向における曲面に合わせて配置することができる。これにより、琴に特有のアーチ形状となる絃の配置となる。
【００３９】
図４Ａおよび図４Ｂは、この考案にかかる実施の形態の電子琴の角の構造の一例を示す説明図（上面図）である。図４Ａおよび図４Ｂは、角１０４を上面から見た状態を示している。すなわち、図４Ａおよび図４Ｂは、図２と同じ方向（図３における矢印Ｂの方向）から見た状態を示している。なお、図４Ａでは、図２において張られていた絃１０２はすべて外し、また、枕角１０５も取り外し、溝部３０１の底部（底面部）３０１ａがむき出しになった状態を示している。
【００４０】
図４Ａにおいて、角１０４の溝部３０１の底部（底面部）３０１ａには、４つの貫通孔４０１ａ〜４０１ｄが設けられている。４つの貫通孔４０１ａ〜４０１ｄは、溝部３０１の底部（底面部）３０１ａから溝部３０１の深さ方向に対して角１０４の溝部３０１とは反対方向に、角１０４を高さ方向に貫通するように設けられている。４つの貫通孔４０１ａ〜４０１ｄに連続して、図示は省略するが、甲１０１にも貫通孔がそれぞれ設けられる。それにより、図５に示す４つの圧電素子５０１ａ〜５０１ｄの配線をそれぞれ４つの貫通孔４０１ａ〜４０１ｄおよび甲１０１の４つの貫通孔を介して甲１０１の裏の音穴側へ通すことができる。
【００４１】
なお、図示は省略するが、甲１０１の裏側における圧電素子５０１ａ〜５０１ｄの配線の出口付近に金属箔（具体的には銅箔）を貼り付けるようにしてもよい。これにより、圧電素子５０１ａ〜５０１ｄから出力される電気信号におけるノイズを軽減することができる。
【００４２】
また、図４Ｂは、図４Ａと同じ上面図を示しており、図４Ａとの違いは、図４Ｂでは、溝部３０１にスタビライザー４０２を設けていることである。図４Ｂにおいて、スタビライザー４０２は、溝部３０１の開口部（あるいは底面部３０１ａ）とほぼ同じ形状をなし、底面部３０１ａに当接するようにして、溝部３０１にはめ込む。
【００４３】
また、スタビライザー４０２には、４つの貫通孔４０１ａ〜４０１ｄが設けられている位置に同様に、図５に示す４つの圧電素子５０１ａ〜５０１ｄの配線を通すための貫通孔４０２ａ〜４０２ｄが設けられる。この貫通孔４０２ａ〜４０２ｄは、圧電素子５０１ａ〜５０１ｄの配線を通すためのものなので、貫通孔４０１ａ〜４０１ｄと同じサイズでなくてもよい。具体的には、配線が通過できるサイズの孔であればよい。なお、スタビライザー４０２の詳細な説明は後述する。
【００４４】
図５は、この考案にかかる実施の形態の電子琴の角および枕角の構造の一例を示す説明図（上面図および側面（断面）図）である。図５において、下側の「（ａ）上面図」は、図４における上面図と同じ方向から見た角１０４を示している。また、上側の「（ｂ）側面（断面）図」は、下側の「（ａ）上面図」に対しての側面（あるいは断面）を示している。
【００４５】
そして、図５は、図４における角１０４の溝部３０１にスタビライザー４０２および４つの圧電素子５０１ａ〜５０１ｄを取り付けた状態を示している。そして、図５においては、枕角１０５は、角１０４の溝部３０１への取り付け前の状態を示している。
【００４６】
図５の芯座１０６の配置との関係からわかるように、１３本の絃１０２のうち、左側の３本の絃（高音の絃）の音（振動）を検出するのが圧電素子５０１ａであり、その隣の３本の絃の音（振動）を検出するのが圧電素子５０１ｂであり、さらにその隣の３本の絃の音（振動）を検出するのが圧電素子５０１ｃである。そして残りの右側の４本（低音の絃）の音（振動）を検出するのが圧電素子５０１ｄである。
【００４７】
１３本の絃から構成される琴では、このように、４つの圧電素子５０１ａ〜５０１ｄを用いて、３本、３本、３本、４本の絃１０２を、それぞれの圧電素子５０１ａ〜５０１ｄが各音（振動）の検出を担う。４本の絃１０２の音（振動）を検出する他の圧電素子よりも少し長めの圧電素子は、低音の絃の音（振動）を検出しているが、この長めの圧電素子は、どこの４本の絃の音（振動）の検出をしてもよい。すなわち、高音の絃から順に、「４本、３本、３本、３本」としてもよく、「３本、４本、３本、３本」、あるいは、「３本、３本、４本、３本」としてもよい。
【００４８】
１つの圧電素子で３本ないし４本の絃の音（振動）の検出を担うようにしたのは、圧電素子の長さによる。本実施の形態において用いた圧電素子５０１ａ〜５０１ｄは、通常のギター用のピックアップに用いられたものであって、汎用性が高く、安価で入手することが可能である。したがって、このギター用の圧電素子を用いることによって、安価で作成することが可能である。
【００４９】
なお、１つの圧電素子が担う本数は、この組み合わせに限定されるものではない。たとえば、３つの圧電素子を用いて、「４本、４本、５本」の絃の音（振動）の検出を担ってもよく、また、５つの圧電素子を用いて、「２本、２本、３本、３本、３本」の絃の音（振動）の検出をおこなってもよい。
【００５０】
また、１つの圧電素子を用いて、１３本すべての絃の音（振動）の検出を担ってもよい。ただし、圧電素子の長さが長くなることによって、その長さの分だけ、枕角１０５との密着度の違いからくる絃ごとの振動の検出のばらつきに留意しなければならない。また、修理する際の手間も考慮すると、１つの圧電素子によりすべての絃１０２の振動を検出するよりは、複数個の圧電素子を用いておこなうほうがよい。
【００５１】
圧電素子５０１ａは、その先端を、甲１０１の裏側の音穴側から、角１０４の貫通孔４０１ａおよびスタビライザー４０２の貫通孔４０２ａに潜らせて溝部３０１側に通す。そして、圧電素子５０１ａを角１０４の溝部３０１に沿って這わせる。あるいは、その反対に、圧電素子５０１ａの配線部分を溝部３０１側からスタビライザー４０２の貫通孔４０２ａおよび角１０４の貫通孔４０１ａに潜らせて甲１０１の裏側の音穴側へ通すようにしてもよい。
【００５２】
圧電素子５０１ｂ〜５０１ｄも同様の方法により、角１０４の溝部３０１に取り付ける。なお、図５においては、角１０４の貫通孔４０１ｂ〜４０１ｄおよびスタビライザー４０２の貫通孔４０２ｂ〜４０２ｄの符号は省略する。
【００５３】
角１０４の溝部３０１に取り付けられた圧電素子５０１ａ〜５０１ｄと溝部３０１の底部（底面部）３０１ａの間に挟むようにして設けられるスタビライザー４０２は、弾性部材によって構成されるようにしてもよい。弾性部材としては、具体的には、たとえば、硬質ウレタンや硬質のスポンジなどの市販の部材であってもよい。スタビライザー４０２は板バネ部材などを用いることもできる。
【００５４】
スタビライザー４０２に用いられる弾性部材の条件としては、ある程度の硬さがあり、かつ、弾性力によって、溝部３０１において、圧電素子５０１ａ〜５０１ｄと溝部３０１の底部（底面部）３０１ａの間に挟んで、枕角１０５によって圧電素子５０１ａ〜５０１ｄが底部（底面部）３０１ａ側に押しつけられた際に、その弾性部材の弾性力および反発力によって枕角１０５と圧電素子５０１ａ〜５０１ｄの間に空間が生じないように、両者が密着できるものが望ましい。
【００５５】
スタビライザー４０２の厚さも、上記の条件に基づいて適宜設定することができる。また、スタビライザー４０２は、溝部３０１に対して一つだけ設けるようにしたが、各圧電素子５０１ａ〜５０１ｄに合わせて複数個別々に設けるようにしてもよい。その際、スタビライザー４０２の材質やサイズをそれぞれ異なるものとすることができる。
【００５６】
また、枕角１０５の曲面であって、圧電素子５０１ａ〜５０１ｄと接する部分に金属箔５０２を設けるようにしてもよい。金属箔５０２は、具体的には、たとえば銅箔などであってもよい。このように金属箔５０２を設けることによって、圧電素子５０１ａ〜５０１ｄが出力する電気信号のノイズを軽減することができる。
【００５７】
図６は、この考案にかかる実施の形態の電子琴の角および枕角の構造の一例を示す説明図（側面（断面）図）である。図６は、図５の「（ｂ）側面（断面）図」における、枕角１０５を角１０４に取り付けた状態を示している。
【００５８】
図６において、枕角１０５が、角１０４の溝部３０１において、圧電素子５０１ａ〜５０１ｄ側に押しつけるようにして取り付けられている。絃１０２を張ることによって、さらに枕角１０５がより強く圧電素子５０１ａ〜５０１ｄ側に押しつけられる。したがって、スタビライザー４０２はその弾性力により、圧電素子５０１ａ〜５０１ｄによって押し潰されて変形する。
【００５９】
その結果、溝部３０１内では、スタビライザー４０２の反発力によって、圧電素子５０１ａ〜５０１ｄを枕角１０５側へ押し戻し、それにより、枕角１０５と圧電素子５０１ａ〜５０１ｄとを密着させ、両者の間に空間を生じさせないようにすることができる。また、スタビライザー４０２の反発力によって、圧電素子５０１ａ〜５０１ｄが溝部３０１内で動いてしまう（遊んでしまう）ことを確実に防止することができる。
【００６０】
図６では、図５と比較して、スタビライザー４０２が、枕角１０５を嵌合したことによって押しつぶされて変形してる状態を示している。また、図６では、スタビライザー４０２の反発力によって、圧電素子５０１ａ〜５０１ｄが枕角１０５側へ押されて枕角１０５に密着している様子を示している。
【００６１】
枕角１０５と圧電素子５０１ａ〜５０１ｄとの間に一部でも空間が生じると、枕角１０５の振動が伝わらなかったり、伝わる振動にムラが生じてしまう。スタビライザー４０２は、その問題を解消し、枕角１０５において生じた振動を確実にかつ減衰することなく各圧電素子５０１ａ〜５０１ｄに伝えることができる。
【００６２】
このように、圧電素子５０１ａ〜５０１ｄを角１０４の溝部３０１内に設け、その上から枕角１０５を被せるようにするので、圧電素子５０１ａ〜５０１ｄは、枕角１０５によって完全に隠れてしまう。したがって、外見上は、普通の琴と全く見分けがつかない。
【００６３】
また、枕角１０５、角１０４の構造は、通常の琴と同じであるので、枕角１０５の振動を角１０４を介して確実に甲１０１へ伝え、甲１０１の反響により、圧電素子５０１ａ〜５０１ｄによる電気信号の出力をおこなわなくても、通常の琴と遜色のない音を発生させることができる。
【００６４】
以上説明したように、この考案にかかる実施の形態の電子琴１００は、複数の絃１０２に当接し、絃１０２を支持する湾曲した枕角１０５と、枕角１０５を嵌合する溝部３０１を有し、甲１０１に固定される角１０４と、溝部３０１内に当該溝部３０１の長手方向に沿って設けられた棒状または紐状の圧電素子５０１ａ〜５０１ｄと、溝部３０１の底部３０１ａと圧電素子５０１ａ〜５０１ｄとの間に設けられ、枕角１０５が溝部３０１に嵌合された際に枕角１０５と圧電素子５０１ａ〜５０１ｄとが密着するように圧電素子５０１ａ〜５０１ｄを枕角１０５側へ押しつけるスタビライザー４０２と、を備えるので、枕角１０５と圧電素子５０１ａ〜５０１ｄを密着させることができ、枕角１０５の振動を確実かつ正確にかつ高感度で各圧電素子５０１ａ〜５０１ｄに伝えることができる。
【００６５】
したがって、絃１０２を弾くことによって枕角１０５において生じた振動を確実にかつ減衰することを抑えて各圧電素子５０１ａ〜５０１ｄに伝えることができるので、振動が変換されたより強い（高感度の）電子信号を出力でき、より大きな音を出すことができる。また、それにより、ボリュームの上げすぎによるハウリングを防止または抑制することができる。また、音のひずみやノイズを抑えることができる。
【００６６】
また、エフェクターなどを用いることによって、出力された電気信号に様々な加工を施すことができるので、琴の演奏における多種の演出を実現することができる。
【００６７】
また、この考案にかかる実施の形態の電子琴１００は、スタビライザー４０２が、弾性部材によって構成されるので、弾性部材の弾性力と反発力により、より確実に枕角１０５と圧電素子５０１ａ〜５０１ｄとを密着させ、枕角１０５の振動を圧電素子５０１ａ〜５０１ｄに伝え、その振動をより高密度な電気信号に変換することができる。
【００６８】
また、この考案にかかる実施の形態の電子琴１００は、枕角１０５の圧電素子５０１ａ〜５０１ｄと接する部分に金属箔５０２を設けたので、圧電素子５０１ａ〜５０１ｄから出力される電子信号のノイズを軽減し、また、ハウリングを防止または抑制することができる。
【産業上の利用可能性】
【００６９】
以上のように、この考案にかかる電子琴は、音を電気信号に変換して出力する電子琴に有用であり、特に、演奏会などで大音量で演奏するのに適している。
【符号の説明】
【００７０】
１００  電子琴
１０１  甲
１０２  絃（琴糸）
１０３  琴柱
１０４  角
１０５  枕角
１０６  芯座
１０７  シールド（ケーブル）
１０８  プラグ
１０９  アウトプットジャック
３０１  溝部
３０１  （溝部の）底部（底面部）
４０１ａ〜４０１ｄ  （角の）貫通孔
４０２  スタビライザー
４０２ａ〜４０２ｄ  （スタビライザーの）貫通孔
５０１ａ〜５０１ｄ  圧電（ピエゾ）素子
５０２  金属（銅）箔
【図１】
0003231178.tif 000003
【図２】
0003231178.tif 000004
【図３】
0003231178.tif 000005
【図４Ａ】
0003231178.tif 000006
【図４Ｂ】
0003231178.tif 000007
【図５】
0003231178.tif 000008
【図６】
0003231178.tif 000009